(57)【特許請求の範囲】
【請求項１】
便器上に設置され、機能部材を内蔵する本体と、
前記本体の側部に設けられた操作部と、
前記本体に回動自在に設けられた便座と、
前記本体に回動自在に設けられた便蓋と、を有し、
前記本体は、外装を構成する本体ケースを、備え、
前記本体ケースは、前記本体ケースの背面の全体と、両側面と上面と底面の一部を形成する後本体ケースと、前記本体ケースの前面の全体と、両側面と上面と底面の一部を形成する前本体ケースと、を有し、
前記後本体ケースは、前記操作部と、前記便座と、前記便蓋と、前記本体に内蔵される前記機能部材が設置される、
衛生洗浄装置。
【請求項２】
前記後本体ケースと前記前本体ケースは、接合部に設けた接合溝と接合リブとを嵌合させて接合した請求項１に記載の衛生洗浄装置。
【請求項３】
前記前本体ケースの前面と底面とのコーナ部は、曲面を有する請求項１に記載の衛生洗浄装置。
【請求項４】
前記後本体ケースに前記前本体ケースを設置しない状態で、前記機能部材を稼動できる請求項１に記載の衛生洗浄装置。
【発明の詳細な説明】
【技術分野】
【０００１】
本発明は、人体局部を洗浄する衛生洗浄装置の本体の構造に関する。
【背景技術】
【０００２】
従来の衛生洗浄装置の本体は、便器の上面後部に固定されたベース部材と、ベース部材全体を覆って設置されるケーシングとを備える。ベース部材は、人体局部を洗浄するノズルと温水タンクを主な構成部材する局部洗浄機構と、衛生洗浄装置の機能を制御する制御部と、電源部などが設置されている。ケーシングは、便座と、便蓋と、便座と便蓋の開閉を駆動する開閉駆動装置と、人感センサと、空気清浄装置などの機能部材が設置されている。そして、ベース部材に設置された制御部と、ケーシングに設置された機能部材とを、リード線とコネクタを介して接続することにより衛生洗浄装置が構成されている（例えば、特許文献１参照）。【０００３】
以下に、特許文献１に記載された従来の衛生洗浄装置の構成について、図１０を用いて説明する。【０００４】
図１０は、従来の衛生洗浄装置の分解斜視図である。【０００５】
図１０に示すように、従来の衛生洗浄装置は、主に、便器１の上面後部に固定されたベース部材２と、ベース部材２を上方から覆うケーシング３とから構成されている。【０００６】
ベース部材２の前部中央にはノズル４と温水タンク５からなる局部洗浄機構６が設置され、ベース部材２の後部には制御部７が設置されている。さらに、ベース部材２の中央側部には、制御部７と電気的に接続されるコネクタ受部８が設置されている。【０００７】
一方、ケーシング３の前部には回動自在な便蓋９と便座（図示せず）が設置され、ケーシング３の後部前面には人感センサ１０が設置されている。また、ケーシング３の後方側部には作業孔１１が開口して設けられ、作業孔１１は別部材の作業蓋１２で閉塞される構成を有する。【０００８】
さらに、ケーシング３の内部には、図示しない開閉機構および空気清浄装置などの機能部材が設置されている。各機能部材の端部は、コネクタ１３を備えたリード線と接続されている。【０００９】
また、コネクタ１３は、作業孔１１の近傍に配置されている。そして、ベース部材２にケーシング３をかぶせて結合した状態で、作業孔１１を介してコネクタ１３とコネクタ受部８が接続される。これにより、ベース部材２の制御部７と、ケーシング３の機能部材が電気的に接続される。そして、制御部７と機能部材との接続部は、作業孔１１を作業蓋１２で塞ぐことにより閉塞される構成となっている。【００１０】
また、ケーシング３の後部は、別部材のカバー１４で覆うことにより作業孔１１および作業蓋１２を外部から隠す構成となっている。【００１１】
しかしながら、従来の衛生洗浄装置は、ベース部材２とケーシング３とを結合し、コネクタ１３とコネクタ受部８を接合した状態で、全ての機能部材の動作状態を確認する。すなわち、衛生洗浄装置の組立作業がほぼ完了した段階で、機能部材の動作状態の確認を実施する。そのため、衛生洗浄装置の組立が完了した段階で機能部材に不都合が見つかった場合、補修作業を行うには、コネクタ１３とコネクタ受部８を分離し、さらにベース部材２とケーシング３を分離して、補修作業を行わなければならない。その結果、補修作業に要する手間と時間が多くかかり、生産性が低下していた。【００１２】
また、従来の衛生洗浄装置は、ベース部材２とケーシング３とからなる本体を上下に分離して構成している。そして、本体の下端部に、ベース部材２とケーシング３の接合部が配置される。そのため、接合部に隙間が形成される。このとき、接合部の隙間は、汚れが付着しやすい部分となる。さらに、本体の下端部は、清掃がし難い部分でもある。つまり、本体の前面下端部は、用便による汚れが発生しやすく、清掃性の面において、未だ改良が必要であった。
【先行技術文献】
【特許文献】
【００１３】
【特許文献１】特開２００９−２８７２３０号公報
【発明の概要】
【００１４】
上記課題を解決するために、本発明の衛生洗浄装置は、便器上に設置され、機能部材を内蔵する本体と、本体の側部に設けられた操作部と、本体に回動自在に設けられた便座と、本体に回動自在に設けられた便蓋とを有し、本体は、外装を構成する本体ケースを備える。そして、本体ケースは、本体ケースの背面の全体と、両側面と上面と底面の一部を形成する後本体ケースと、本体ケースの前面の全体と、両側面と上面と底面の一部を形成する前本体ケースとを有し、後本体ケースには、操作部と、便座と、便蓋と、本体に内蔵される機能部材が設置される構成を有する。
【００１５】
これにより、全ての機能部材を後本体ケースに取り付けた状態で衛生洗浄装置の全機能の検査を実施することができる。さらに、検査で不都合が発見された場合、その状態のままで補修が可能になる。これにより、組立ステップにおける余分な時間や手間を削減することができる。その結果、高い生産性とメンテナンス性に優れた衛生洗浄装置を実現できる。
【図面の簡単な説明】
【００１６】
【図１】図１は、本発明の実施の形態における衛生洗浄装置を便器に設置した状態の斜視図である。
【図２】図２は、同衛生洗浄装置の前本体ケースを取り外した状態の斜視図である。
【図３】図３は、同衛生洗浄装置の洗浄部の構成を示す模式図である。
【図４】図４は、同衛生洗浄装置のケースの分解状態を示す斜視図である。
【図５】図５は、同衛生洗浄装置の後本体ケースを示す斜視図である。
【図６】図６は、同衛生洗浄装置のケースの組立状態における横方向の断面図である。
【図７】図７は、図６に示すＡ部の拡大断面図である。
【図８】図８は、同衛生洗浄装置のケースの組立状態における前後方向の断面図である。
【図９】図９は、図８に示すＢ部の拡大断面図である。
【図１０】図１０は、従来の衛生洗浄装置の分解斜視図である。
【発明を実施するための形態】
【００１７】
以下、本発明の実施の形態について、図面を参照しながら説明する。なお、この実施の形態によって本発明が限定されるものではない。
【００１８】
（実施の形態）
＜１＞衛生洗浄装置の構成
以下、本発明の実施の形態の衛生洗浄装置について、図１および図２を用いて説明する。
【００１９】
図１は、本実施の形態における衛生洗浄装置を便器上に設置した状態の外観の斜視図である。図２は、同衛生洗浄装置の前本体ケースを取り外した状態の斜視図である。
【００２０】
図１に示すように、本実施の形態の衛生洗浄装置は、少なくとも本体１００と、本体１００の側部に一体に設けられた操作部２００と、本体１００に回動自在に枢支された便座３００と、便蓋４００などにより構成され、便器７００の上面に設置される。
【００２１】
なお、以降では、衛生洗浄装置の本体１００の設置側を後方、便座３００の設置側を前方とし、後方より前方に向かって右側を右方、左側を左方として各構成要素の配置を説明する。
【００２２】
図１および図２に示すように、便座３００および便蓋４００は、ダンパ１４０を備えた回動機構を介して、開閉可能に本体１００に取り付けられている。
【００２３】
また、便蓋４００を開放した状態において、便蓋４００は、衛生洗浄装置の最後部に位置するように起立する。一方、便蓋４００を閉蓋した状態においては、便蓋４００は、便座３００の着座面である上面３００ａと本体１００の一部を隠す。そして、便座３００は、図１に示す便器７００の上面３００ａに倒置された状態から、図２に示す本体１００の上部に起立する状態まで回動する。
【００２４】
便座ヒータ（図示せず）は、便座３００の内部に設置され、便座３００の着座面を保温する。また、着座センサ（図示せず）は、便座３００の回動軸を支持する本体１００内の軸受け部分に設けられ、人が便座３００に着座したことを検知する。なお、着座センサは、例えば重量式の着座センサなどで構成され、便座３００に使用者が着座することによる重量変化でスイッチを開閉させる。これにより、使用者が、便座３００上に着座していることを検知する。
【００２５】
また、図２に示すように、以下に示す、衛生洗浄装置の電気的機能および機械的機能を構成する機能部材が、本体１００の内部に設置されている。つまり、本体１００の中央部には、洗浄部１１０の主な構成部材であるノズル装置１１７が設置されている。ノズル装置１１７の左側には、脱臭装置１２０が設置されている。本体１００の左上部には制御部１３０が設置され、本体１００の左側側部には、ダンパ１４０が設置されている。ダンパ１４０は、便座３００と便蓋４００が開閉するときの回動速度をコントロールする。
【００２６】
さらに、ノズル装置１１７の右側には、洗浄部１１０の主な構成部材である温水タンク１１５が設置されている。温水タンク１１５は、例えばＰＰ（ポリプロピレン）などの樹脂材料で成型されたタンク本体などから構成される。そして、タンク本体の内部の下部には洗浄水を加熱するシーズヒータ（図示せず）を備え、シーズヒータの近くには湯温を検知する温度検知部としてサーミスタ（図示せず）が設置されている。タンク本体の上面には、温水タンク１１５内の圧力が負圧になった場合、外部から空気を導入するバキュームブレーカが設置されている。
【００２７】
また、図１および図２に示すように、本体１００の右側側部には前方に突出するように操作部２００が設けられている。操作部２００は、衛生洗浄装置の各機能を操作する複数のスイッチと表示灯２３０が設置されている。そして、操作部２００の内部には操作基板（図示せず）が設置され、操作基板には複数のタクトスイッチと複数のＬＥＤが設置されている。これにより、操作部２００の上面に貼付されたスイッチ銘板を介して、使用者にタクトスイッチの押圧操作とＬＥＤによる視認を可能としている。
【００２８】
さらに、操作部２００に設置されたスイッチは、洗浄動作を操作する複数の操作スイッチ２１０と各種機能を設定する複数の設定スイッチ２２０などから構成されている。また、表示灯２３０は、操作状態および設定状態を表示する複数のＬＥＤから構成されている。このとき、操作スイッチ２１０は操作部２００の前方に配置し、設定スイッチ２２０は後方に配置されている。これにより、使用者が、操作スイッチ２１０を操作しやすくしている。
【００２９】
なお、操作スイッチ２１０は、例えばお尻洗浄を開始するお尻洗浄スイッチ２１１、ビデ洗浄を開始するビデ洗浄スイッチ２１２、お尻洗浄とビデ洗浄を停止する停止スイッチ２１３、および洗浄水の強さを変更する２個の強度スイッチ２１４などから構成されている。設定スイッチ２２０は、例えば洗浄水の温度を設定する温水温度スイッチ、便座の温度を設定する便座温度スイッチ、節電を設定する節電スイッチなどから構成されている。
【００３０】
以上により、本実施の形態の衛生洗浄装置が構成される。
【００３１】
＜２＞洗浄部の構成
以下に、本実施の形態の衛生洗浄装置の洗浄部の構成について、図１および図２を参照しながら、図３を用いて説明する。
【００３２】
図３は、同衛生洗浄装置の洗浄部の構成を示す模式図である。
【００３３】
図３に示すように、本体１００の内部には、ノズル装置１１７に洗浄水を供給する流路１５０が形成されている。そして、流路１５０に沿って、給水栓１１１、定流量弁１１２、止水電磁弁１１３、リリーフ弁１１４、温水タンク１１５、流調弁１１６、ノズル装置１１７などが順次、設置されている。
【００３４】
給水栓１１１は、図２に示すように、本体１００の右側下方に設けられ、外部の水道配管などに接続される。そして、給水栓１１１の内部には、水道水などの洗浄水に含まれるごみや不純物などを除去する、ストレーナ（図示せず）が組み込まれている。
【００３５】
また、給水栓１１１と温水タンク１１５との間の流路１５０には、定流量弁１１２、止水電磁弁１１３と、リリーフ弁１１４が順に接続されている。さらに、温水タンク１１５とノズル装置１１７のノズル部１１８との間の流路１５０には、流調弁１１６が接続されている。そして、流調弁１１６のそれぞれのポートには、ノズル部１１８のお尻洗浄部１１８ａ、ビデ洗浄部１１８ｂ、ノズル洗浄部１１８ｃが接続されている。これにより、給水栓１１１から供給された洗浄水などが、ノズル装置１１７に供給される。
【００３６】
また、ノズル装置１１７は、例えばＰＯＭ（ポリオキシメチレン（ポリアセタールまたはアセタール樹脂））などの樹脂材料で成型した略三角形（三角形を含む）の枠状の支持部と、支持部に沿って進退移動するノズル部１１８と、ノズル部１１８の進退移動を駆動する駆動部１１９で構成されている。ノズル部１１８は、お尻洗浄を行うお尻洗浄部１１８ａと、ビデ洗浄を行うビデ洗浄部１１８ｂと、ノズル洗浄を行うノズル洗浄部１１８ｃを備えている。
【００３７】
また、ノズル部１１８の後端には、流調弁１１６が取り付けられている。流調弁１１６は、ノズル部１１８への洗浄水の供給を切り替える。
【００３８】
以下に、本体１００における洗浄水の流れおよび制御部１３０による本体１００の各構成部の制御について、具体的に説明する。
【００３９】
まず、水道配管を流れる水道水が、洗浄水として給水栓１１１に供給される。供給された洗浄水は、定流量弁１１２により流路１５０内を流れる流量が一定に維持される。
【００４０】
そして、止水電磁弁１１３は、温水タンク１１５への洗浄水の供給状態を切り替える。止水電磁弁１１３の動作は、操作部２００の操作に基づいて、制御部１３０により制御される。
【００４１】
つぎに、温水タンク１１５は、流路１５０を通して供給される洗浄水を所定の温度に加熱する。温水タンク１１５の動作は、操作部２００の操作とサーミスタの検知データに基づいて、制御部１３０により制御される。
【００４２】
つぎに、温水タンク１１５で加熱された洗浄水は、流調弁１１６に供給される。流調弁１１６は、例えばステッピングモータを動作させることにより、洗浄水を、お尻洗浄部１１８ａ、ビデ洗浄部１１８ｂ、ノズル洗浄部１１８ｃのいずれかに供給する。これにより、お尻洗浄部１１８ａ、ビデ洗浄部１１８ｂ、ノズル洗浄部１１８ｃのいずれかの噴出口から洗浄水が噴出する。流調弁１１６の駆動は、操作部２００の操作に基づいて、制御部１３０により制御される。
【００４３】
以上により、本体１００の洗浄水の流れと制御部１３０による本体１００の各構成部が制御される。
【００４４】
＜３＞衛生洗浄装置の外装の構成
以下に、本実施の形態の衛生洗浄装置の外装の構成について、図４、図５および図８を用いて説明する。
【００４５】
図４は、同衛生洗浄装置の外装を構成するケースの分解状態を示す斜視図である。図５は、同衛生洗浄装置の後本体ケースの詳細を示す斜視図である。図８は、同衛生洗浄装置のケースの組立状態における前後方向の断面図である。
【００４６】
図４に示すように、本実施の形態の衛生洗浄装置の外装を構成するケースは、本体１００の外装である本体ケース５００と、操作部２００の外装である操作部ケース６００から構成される。本体ケース５００は、後本体ケース５１０と前本体ケース５５０とから構成される。操作部ケース６００は、下操作部ケース６１０と上操作部ケース６２０とから構成される。
【００４７】
なお、本体ケース５００を構成する後本体ケース５１０と前本体ケース５５０は、いずれも、例えばＰＰ（ポリプロピレン）などからなる樹脂材料で成型される。そして、後本体ケース５１０と前本体ケース５５０は、後述するように、前後方向において全周を接合できる構成を有している。
【００４８】
また、図５に示すように、後本体ケース５１０は、本体ケース５００の背面の全体と、両側面と上面と底面との一部を構成するように形成されている。
【００４９】
そして、後本体ケース５１０は、本体１００のメインの躯体となる部材である。つまり、後本体ケース５１０は、少なくとも操作部設置部５１１、温水タンク設置部５１２、ノズル装置設置部５１３、脱臭装置設置部５１４、脱臭排気口５１５、制御設置部５１６、ダンパ設置部５１７、便座支持部５１８、便蓋支持部５１９などが形成されている。操作部設置部５１１は、後本体ケース５１０の右側側部に設けられ、操作部ケース６００を設置する。温水タンク設置部５１２は、後本体ケース５１０の右底部に設けられ、温水タンク１１５を設置する。ノズル装置設置部５１３は、後本体ケース５１０の中央底部に設けられ、ノズル装置１１７を設置する。脱臭装置設置部５１４は、後本体ケース５１０の左底部に設けられ、脱臭装置１２０を設置する。脱臭排気口５１５は、後本体ケース５１０の左背面に設けられ、脱臭装置１２０の排気を行う。制御設置部５１６は、後本体ケース５１０の左上部に設けられ、制御部を設置する。ダンパ設置部５１７は、後本体ケース５１０の左側側部に設けられ、便座３００と便蓋４００の回動速度をコントロールするダンパ１４０を設置する。便座支持部５１８は、後本体ケース５１０の左右両側部に設けられ、便座３００を枢支する。そして、便蓋支持部５１９は、便座支持部５１８の後方に設けられ、便蓋４００を枢支する。
【００５０】
以上で説明したように、後本体ケース５１０は、上記記載の主な構成部材の設置場所を含め、衛生洗浄装置の全ての機能部材を設置できるように形成されている。
【００５１】
また、図４に示すように、本体ケース５００の一方を構成する前本体ケース５５０は、本体ケース５００の前面の全体と、両側面と上面と底面との一部を構成する。これにより、後本体ケース５１０の前面開口部の略全面（前面を含む）を閉塞する。
【００５２】
また、図８に示すように、前本体ケース５５０の前面５５８から底面５５６にかかるコーナ部５５１を曲面に形成している。通常、コーナ部５５１の部分は、用便により汚染されやすい部分である。そこで、コーナ部５５１を曲面に形成することにより、汚染物が堆積し難くするとともに、清掃しやすい構成としている。
【００５３】
また、図４に示すように、前本体ケース５５０のコーナ部５５１の中央には、ノズル装置１１７が進退するノズル開口５５２が形成されている。
【００５４】
以下に、本実施の形態の衛生洗浄装置のケースの組立について、図６から図９を用いて説明する。
【００５５】
図６は、同衛生洗浄装置のケースの組立状態における横方向の断面を示す断面図である。なお、図６は、ケースを構成する後本体ケース５１０、前本体ケース５５０、下操作部ケース６１０、上操作部ケース６２０の全てを組み合わせた状態で、便座３００の回動軸（便座支持部５１８）の中心位置で、鉛直方向に切断した断面図を示している。
【００５６】
まず、図６に示すように、下操作部ケース６１０と上操作部ケース６２０を組み合わせた状態の操作部ケース６００を、後本体ケース５１０の右側側部で結合する。そして、操作部ケース６００が結合された状態において、後本体ケース５１０の前面から前本体ケース５５０を結合する。
【００５７】
このとき、図７に示すように、後本体ケース５１０と前本体ケース５５０との側面の接合部は、後本体ケース５１０と前本体ケース５５０のそれぞれの接合部に形成された接合溝と接合リブとにより嵌合される。これにより、後本体ケース５１０と前本体ケース５５０とを強固に接合するとともに、高い防水機能が付与される。
【００５８】
そこで、図７を用いて、後本体ケース５１０と前本体ケース５５０との便座３００の枢支部における接合部の構成について、詳細に説明する。
【００５９】
図７は、図６に示すＡ部の拡大断面図である。なお、図７は、便座３００の枢支部における後本体ケース５１０と前本体ケース５５０とからなる本体ケース５００の接合部の構成を示している。
【００６０】
図７に示すように、後本体ケース５１０の接合部には、２つの接合リブ５２０、５２１が形成され、２つの接合リブ５２０、５２１の間には接合溝５２２が形成されている。一方、前本体ケース５５０の接合部には、２つの接合リブ５５３、５５４が形成され、２つの接合リブ５５３、５５４の間には接合溝５５５が形成されている。
【００６１】
そして、後本体ケース５１０の接合溝５２２に、前本体ケース５５０の内側の接合リブ５５４を嵌入する。同時に、前本体ケース５５０の接合溝５５５に、後本体ケース５１０の外側の接合リブ５２０を嵌入する。これにより、後本体ケース５１０と前本体ケース５５０とが、接合溝と接合リブの嵌入した状態で接合される。その結果、後本体ケース５１０と前本体ケース５５０との確実な防水機能を実現している。
【００６２】
つぎに、図８と図９を用いて、後本体ケース５１０と前本体ケース５５０との略中央部（中央部を含む）における接合部の構成について、詳細に説明する。
【００６３】
図８は、同衛生洗浄装置のケースの組立状態における前後方向の断面図である。図９は、図８に示すＢ部の拡大断面図である。なお、図８は、後本体ケース５１０と前本体ケース５５０を接合した状態で、略中央部で前後方向に切断した断面図を示している。
【００６４】
まず、図８に示すように、後本体ケース５１０の底面５２３と前本体ケース５５０の底面５５６との接合部５５９は、後本体ケース５１０の底面５２３が前本体ケース５５０底面５５６の上側に積層された状態で接合されて形成される。
【００６５】
また、図９に示すように、後本体ケース５１０と前本体ケース５５０との上面側の接合部は、前本体ケース５５０の上面端部５５０ａに形成された接合溝５５７に後本体ケース５１０の上面端部５２４を嵌入した状態で接合される。これにより、本体ケース５００の上面からの浸水を防止する防水機能を実現している。
【００６６】
以上により、本実施の形態のケースの外装が構成される。
【００６７】
＜４＞衛生洗浄装置の組立ステップ
以下に、本実施の形態の衛生洗浄装置の組立ステップについて、説明する。
【００６８】
まず、操作部２００の組立を行う。具体的には、図４に示すように、上面にスイッチ銘板が貼付された上操作部ケース６２０の下面に操作基板を取り付ける。そして、下操作部ケース６１０を上操作部ケース６２０と結合する。これにより、操作部２００の組立ステップが完了する。
【００６９】
つぎに、後本体ケース５１０に衛生洗浄装置の全ての機能部品を設置する。具体的には、まず、図５に示す後本体ケース５１０の操作部設置部５１１に操作部２００を取り付ける。そして、後本体ケース５１０の底面５２３に、例えば温水タンク１１５、ノズル装置１１７、制御部１３０などの直接設置される機能部材から、順次、取り付ける。その後、後本体ケース５１０の内部に設置される全ての機能部材の取り付けが完了した時点で、便座３００を取り付け、便蓋４００の取り付けを行う。
【００７０】
これにより、図２に示すように、前本体ケース５５０を除いて、衛生洗浄装置の全ての機能部材が後本体ケース５１０に取り付けられた状態となる。
【００７１】
そして、上記の状態において、衛生洗浄装置の全ての機能を駆動させることが可能な状態となる。
【００７２】
そこで、この段階において、衛生洗浄装置の組立ステップにおける重要なステップである各機能の検査を実施する。このとき、全ての検査が終了して、上記状態の衛生洗浄装置に不都合が発見されない場合、前本体ケース５５０を後本体ケース５１０に取り付ける。これにより、衛生洗浄装置は完成する。
【００７３】
一方、上記状態の衛生洗浄装置において、検査により不都合が発見された場合、補修作業を実施する必要がある。この場合、検査の段階において、後本体ケース５１０には前本体ケース５５０が取り付けられていない。つまり、機能部品が取り付けられた後本体ケース５１０の前面側は、大きく開放された状態である。そのため、従来のように前本体ケース５５０を分離せずに、そのままの状態で、ほとんどの補修作業を実施することができる。そして、補修作業終了後、再度検査を実施して、検査終了後、前本体ケース５５０を取り付け、全ての組立ステップは終了する。
【００７４】
以上により、最終的に、本実施の形態の衛生洗浄装置が完成する。
【００７５】
上記のように、本実施の形態の衛生洗浄装置は、後本体ケースを本体ケースの背面の全体と、両側面と上面と底面との一部を構成するように形成する。これにより、前本体ケースを設置しない状態で、全ての機能部材を後本体ケースに取り付けることが可能となる。そして、その状態で衛生洗浄装置の全機能の検査を実施できる。さらに、検査で不都合が発見された場合、その状態のまま補修が可能となる。これにより、組立ステップにおける余分な時間や手間を削減することができる。その結果、高い生産性とメンテナンス性に優れた衛生洗浄装置を実現できる。
【００７６】
また、本実施の形態の衛生洗浄装置の本体ケースは、後本体ケースと前本体ケースとにより、前後に分離して構成される。これにより、本体ケースの前面と底面とのコーナ部を曲面で形成することが可能となる。そのため、コーナ部に汚物が堆積することを抑制できるとともに、コーナ部の清掃を容易に実施できる。その結果、衛生的で使い勝手の良い衛生洗浄装置を実現できる。
【００７７】
以上で説明したように、本発明の衛生洗浄装置は、便器上に設置され、機能部材を内蔵する本体と、本体の側部に設けられた操作部と、本体に回動自在に設けられた便座と、本体に回動自在に設けられた便蓋とを有し、本体は、外装を構成する本体ケースを備える。そして、本体ケースは、本体ケースの背面の全体と、両側面と上面と底面の一部を形成する後本体ケースと、本体ケースの前面の全体と、両側面と上面と底面の一部を形成する前本体ケースとを有し、後本体ケースには、操作部と、便座と、便蓋と、本体に内蔵される機能部材が設置される構成を有してもよい。
【００７８】
これにより、全ての機能部材を後本体ケースに取り付けた状態で衛生洗浄装置の全機能の検査を実施することができる。さらに、検査で不都合が発見された場合、その状態のままで補修が可能になる。これにより、組立ステップにおける余分な時間や手間を削減することができる。その結果、高い生産性とメンテナンス性に優れた衛生洗浄装置を実現できる。
【００７９】
また、本発明の衛生洗浄装置は、後本体ケースと前本体ケースが、接合部に設けた接合溝と接合リブとを嵌合させて接合してもよい。
【００８０】
これにより、接合部を密閉した状態で接合することが可能となる。その結果、本体ケースの、高い防水性能を確保できる。
【００８１】
また、本発明の衛生洗浄装置は、前本体ケースの前面と底面とのコーナ部が、曲面を有してもよい。
【００８２】
これにより、用便により汚染される可能性が高い本体ケースの前面下端のコーナ部に汚物が堆積することを抑制することができる。さらに、コーナ部の清掃を容易に実施できる。その結果、衛生的で使い勝手の良い衛生洗浄装置を実現できる。
【００８３】
また、本発明の衛生洗浄装置は、後本体ケースに前本体ケースを設置しない状態で、機能部材を稼動してもよい。
【００８４】
これにより、前本体ケースを設置しない状態で、機能部材の全機能の検査を実施できる。その結果、高い生産性とメンテナンス性に優れた衛生洗浄装置を実現できる。
【産業上の利用可能性】
【００８５】
本発明の衛生洗浄装置の本体ケースの構成は、生産性とメンテナンス性を向上することが可能となるので、他の家電機器などにおける外装ケースなどの用途にも適用できる。
【符号の説明】
【００８６】
１，７００    便器
２    ベース部材
３    ケーシング
４    ノズル
５，１１５    温水タンク
６    局部洗浄機構
７    制御部
８    コネクタ受部
９，４００    便蓋
１０    人感センサ
１１    作業孔
１２    作業蓋
１３    コネクタ
１４    カバー
１００    本体
１１０    洗浄部
１１１    給水栓
１１２    定流量弁
１１３    止水電磁弁
１１４    リリーフ弁
１１６    流調弁
１１７    ノズル装置
１１８    ノズル部
１１８ａ    尻洗浄部
１１８ｂ    ビデ洗浄部
１１８ｃ    ノズル洗浄部
１１９    駆動部
１２０    脱臭装置
１３０    制御部
１４０    ダンパ
１５０    流路
２００    操作部
２１０    操作スイッチ
２１１    尻洗浄スイッチ
２１２    ビデ洗浄スイッチ
２１３    停止スイッチ
２１４    強度スイッチ
２２０    設定スイッチ
２３０    表示灯
３００    便座
３００ａ    上面
５００    本体ケース
５１０    後本体ケース
５１１    操作部設置部
５１２    温水タンク設置部
５１３    ノズル装置設置部
５１５    脱臭排気口
５１６    制御設置部
５１７    ダンパ設置部
５１８    便座支持部
５１９    便蓋支持部
５２０，５２１，５５３，５５４    接合リブ
５２２，５５５，５５７    接合溝
５２３，５５６    底面
５２４，５５０ａ    上面端部
５５０    前本体ケース
５５１    コーナ部
５５２    ノズル開口
５５８    前面
５５９    接合部
６００    操作部ケース
６１０    下操作部ケース
６２０    上操作部ケース
【要約】
機能部材を内蔵する本体（１００）と、操作部（２００）と、便座（３００）と、便蓋（４００）とを有し、本体ケースは後本体ケース（５１０）と前本体ケースとを備える。そして、後本体ケース（５１０）は操作部（２００）と便座（３００）と便蓋（４００）と本体（１００）に内蔵される機能部材が設置される構成を有する。これにより、全ての機能部材を後本体ケースに取り付けて、衛生洗浄装置の全機能の検査を実施することができる。さらに、検査で不都合が発見された場合、その状態で補修が可能である。その結果、組立における余分な時間を削減して、高い生産性とメンテナンス性に優れた衛生洗浄装置を実現できる。【図１】
0005590273.tif 000002
【図２】
0005590273.tif 000003
【図３】
0005590273.tif 000004
【図４】
0005590273.tif 000005
【図５】
0005590273.tif 000006
【図６】
0005590273.tif 000007
【図７】
0005590273.tif 000008
【図８】
0005590273.tif 000009
【図９】
0005590273.tif 000010
【図１０】
0005590273.tif 000011